(57)【特許請求の範囲】
【請求項１】
落差調整ますのインバート部上側形状を成形する上内型と、インバート部下側形状を成形する下内型と、流出側管接続部内側形状を成形する管接続部内型と、該インバート部外側形状を成形する分離可能な外型と、各内型を成形物から引抜く引抜き手段とからなる射出成形金型と、該射出成形金型に下端部をインサートされる縦管の上部を押える押え手段とからなることを特徴とする成形装置。
【発明の詳細な説明】
【０００１】
【発明の属する技術分野】
本発明は例えば地中に埋没される下水配管において、流入側と流出側とに落差がある場合に使用される落差調節ますに関するものである。
【０００２】
【従来の技術】
図１０に示す落差調整ます(1A)は、縦管(2A)と、該縦管(2A)の下端に設けられる流出側管接続部(4A)を差出した有底のインバート部(3A)とからなり、該縦管(2A)の所定個所に接続口(5A)を切開き、該接続口(5A)に流入側管接続部(6A)を取付ける。
従来、該落差調整ます(1A)は縦管(2A)とインバート部(3A)とを一体的に射出成形することによって製造されている。
【０００３】
【発明が解決しようとする課題】
このように縦管とインバート部とを一体的に射出成形する場合、縦管が長くなると射出成形装置が大規模高価になり、また成形物の脱型が困難になる。
したがって上記方法では縦管の長さが限られ、大きな落差に対応出来ないという問題点があった。
【０００４】
【課題を解決するための手段】
本発明は落差調整ます(1) のインバート部(3) 上側形状を成形する上内型(10)と、インバート部(3) 下側形状を成形する下内型(11)と、流出側管接続部(4) 内側形状を成形する管接続部内型(12)と、該インバート部(3) 外側形状を成形する分離可能な外型(13,14) と、各内型を成形物から引抜く引抜き手段とからなる射出成形金型(9) と、該射出成形金型(9) に下端部をインサートされる縦管(2) の上部を押える押え手段とからなる成形装置を提供するものである。
なお、縦管(2) の下端に流出側管接続部(4) を差出したインバート部(3) を一体的に設け、該縦管(2) の所定個所に接続口を穿設して流入側管接続部を取付ける落差調整ます(1) を製造する方法にあっては、該縦管(2) の下端部を射出成形金型(9) 内にインサートし、該射出成形金型(9) によって該縦管(2) 下端にインバート部(3) を成形接続し、さらに、該インバート部(3,3A,32) には側面または底部から流出側管接続部(4,42)が差出される構成とすることができる。
【０００５】
【作用】
縦管(2) は例えば押出し成形により長さに制限なく製造することが出来る。そこで本発明では縦管(2) は別途に製造しておき、該縦管(2) の下部を射出成形金型(9) 内にインサートし、インバート部(3) を射出成形して該縦管(2) の下部に接合する。
【０００６】
【実施例】
本発明を図１〜図６に示す一実施例によって説明すれば、図１に示すのは縦管(2) であって、例えばポリエチレン、ポリプロピレン、ポリ塩化ビニル、熱可塑性エラストマー等の熱可塑性樹脂の押出し成形によって製造される。このような成形方法によれば成形物の長さの制限はない。
【０００７】
該縦管(2) の下端部には流出側管接続部(4) 取付け用の孔(7) が設けられ、図２に示すような成形装置(8) にセットされる。該成形装置(8) は射出成形金型(9) を具備し、該金型(9) はインバート部(3) の上側形状を成形する上内型(10)と、インバート部(3) の下側形状を成形する下内型(11)と、流出側管接続部(4) の内側形状を成形する管接続部内型(12)と、インバート部(3) の外側形状を成形する二分割された外型(13,14) および可動基台(15)、固定基台(16)とからなり、可動基台(15)は下内型(11)と一体的にされており、固定基台(16)からはアンギュラピン(17)が差出されている。
【０００８】
該金型(9) の外型(13)上面からは左右一対の油圧シリンダー(18,19) が立設され、該一対のシリンダー(18,19) のピストンロッド(20,21) の上端には上下可動盤(22)が差渡され、該上下可動盤(22)からは引抜きロッド(23)が金型(9) の上内型(10)に接続されている。更に外型(13)の側面から差出されている支持枠(24)には油圧シリンダー(25)が支持されており、該油圧シリンダー(25)のピストンロッド(26)は管接続部内型(12)に接続して引抜きロッドとなっている。
【０００９】
該金型(9) の外型(14)上面からは支柱(27)が立設されており、該支柱(27)の上端には下側に斜面(29)を有する押圧ヘッド(28)が設けられており、一方該上下可動盤(22)上には該押圧ヘッド(28)の斜面(29)が当接する斜面(31)を有するブロック(30)が設けられている。
【００１０】
上記縦管(2) は下端部を上記金型(9) 内にインサートされ、インバート部(3) の材料である熱可塑性合成樹脂が射出成形される。該合成樹脂は縦管(2) の材料と同一にすることが望ましい。この際、縦管(2) の上端には上下可動盤(22)が当接しており、該縦管(2) は該上下可動盤(22)を介して押圧ヘッド(28)によって押圧され、射出成形圧によって該縦管(2) が浮上がることを阻止される。
【００１１】
このようにしてインバート部(3) を成形した後、外型(13)を図３矢印イ方向に移動させ、かつ固定基台(16)のピン(17)で可動基台(15)を押して該可動基台(15)を矢印ロ方向に移動させ図４に示す状態とし、更に油圧シリンダー(18,19,25)を作動させて成形物から上内型(10)、管接続部内型(12)を引抜き、図５および図６に示す製品としての落差調整ます(1) を金型(9) から取出す。該落差調整ます(1) のインバート部(3) には側面から流出側管接続部(4) が差出されており、該落差調整ます(1) の縦管(2) の所定個所には従来と同様、接続口を切開き、該接続口に流入側管接続部を取付ける。
【００１２】
図７および図８には他の実施例が示される。本実施例では縦管(2) の下端部をドーム形に切欠いて流出側管接続部(4) の取付け用切欠き(7A)とする。そして前実施例と同様い該縦管(2) の下端部を成形装置の射出成形金型にインサートしてインバート部(3A)を成形する。
【００１３】
本実施例以外、本発明は図９に示すようにインバート部(32)の底部から流出側管接続部(42)を差出したドロップ式の落差調整ますにも適用される。
【００１４】
【発明の効果】
本発明で落差調整ますの縦管部分は押出し成形等で別個に成形し、インバート部のみ射出成形で成形するので、縦管を長くすることが出来、大きな落差にも対応できる落差調整ますが提供出来る。
【図面の簡単な説明】
図１〜図６は本発明の一実施例を示すものである。
【図１】  縦管部分の斜視図
【図２】  成形装置正面図
【図３】  成形装置一部切欠き側面図
【図４】  型開き状況の成形装置側面図
【図５】  落差調整ます断面図
【図６】  落差調整ます斜視図
図７および図８は他の実施例を示すものである。
【図７】  縦管部分の斜視図
【図８】  落差調製ますの斜視図
【図９】  更に他の実施例の落差調製ます
【図１０】  従来の落差調整ます斜視図
【符号の説明】
1         落差調整ます
2         縦管
3,3A,32   インバート部
4,42      流出側管接続部
8         成形装置
9         射出成形金型
10        上内型
11        下内型
12        管接続部内型
13,14     外型
18,19     油圧シリンダー
23        引抜きロッド
25        油圧シリンダー
26        ピストンロッド
【図１】
0004164216.tif 000002
【図２】
0004164216.tif 000003
【図３】
0004164216.tif 000004
【図４】
0004164216.tif 000005
【図５】
0004164216.tif 000006
【図６】
0004164216.tif 000007
【図７】
0004164216.tif 000008
【図８】
0004164216.tif 000009
【図９】
0004164216.tif 000010
【図１０】
0004164216.tif 000011